(57)【要約】【課題】装置等を設置する床が固い床又は柔らかい床の何れであっても、安定して装置等を設置することが可能な筐体支持装置を提供する。【解決手段】本発明に係る画像形成装置は、装置筐体を支持する筐体支持装置であって、第１支持体と、第１支持体の周囲に設けられた第２支持体とを備える。前記第１支持体は、２支持体の底面から突出した第１状態の位置と、第２支持体の底面から突出していない第２状態の位置との間を移動する。前記第２支持体は、第１支持体の移動に連動して移動し、かつ、第１支持体の移動の距離より短い距離を移動する。【選択図】図２
2019195521.tif 000002
【特許請求の範囲】
【請求項１】
装置筐体を支持する筐体支持装置であって、
第１支持体と、
前記第１支持体の周囲に設けられた第２支持体と
を備え、
前記第１支持体は、前記第２支持体の底面から突出した第１状態の位置と、前記第２支持体の底面から突出していない第２状態の位置との間を移動し、
前記第２支持体は、前記第１支持体の前記移動に連動して移動し、かつ、前記第１支持体の前記移動の距離より短い距離を移動する、筐体支持装置。
【請求項２】
前記第１支持体を保持する第１固定部材と、
前記第２支持体を保持し、かつ、前記第１固定部材と締結される第２固定部材と
をさらに備え、
前記第１支持体は、第１ボルトを有し、
前記第２支持体は、前記第１ボルトの周囲に配設される中空のボルトである第２ボルトと、前記第１ボルトと前記第２ボルトとに連動して回動する回動部材とを有し、
前記第１ボルトの外周面は、第１ピッチの第１雄ネジが刻設されており、
前記第１固定部材は、前記第１雄ネジと螺合する第１雌ネジが刻設されており、
前記第２ボルトの外周面は、前記第１ピッチより小さい第２ピッチの第２雄ネジが刻設されており、
前記第２固定部材は、前記第２雄ネジと螺合する第２雌ネジが刻設されている、請求項１に記載の筐体支持装置。
【請求項３】
前記第２支持体は、トルクリミッタを有し、
前記トルクリミッタは、前記回動部材の回動によるトルクが予め規定した値を超えた場合は、前記回動部材の回動を前記第１支持体に伝達することを規制する、請求項２に記載の筐体支持装置。
【請求項４】
前記装置筐体は、床に設置され、
前記第１支持体は、前記床と接する位置に突起部材を有する、請求項２又は３に記載の筐体支持装置。
【請求項５】
前記回動部材は、前記床と接する位置に配設され、かつ、摩擦係数の大きな材質からなる、請求項４に記載の筐体支持装置。
【発明の詳細な説明】
【技術分野】
【０００１】
本発明は、筐体支持装置に関する。
【背景技術】
【０００２】
装置又は家具等の筐体（以下、「装置筐体」という。）の底面にキャスターを付設し、装置等を移動させる際の利便性を高める技術がある。また、アジャスタと称される部材を配設する場合も多い。アジャスタは、筐体に固定されたボルトと雌ネジが切られた回動部材とによって、筐体の底面と床との間で必要な距離を確保する部材である（例えば、特許文献１参照）。一般に、アジャスタの接地面にはゴム等の滑り止め部材が配設される。
【先行技術文献】
【特許文献】
【０００３】
【特許文献１】特開２００１−２０４５６７号公報
【発明の概要】
【発明が解決しようとする課題】
【０００４】
しかしながら、柔らかい床に装置等を設置する場合は、アジャスタの接地面にゴム等を用いると、柔らかい床面をゴム等が移動してしまうため十分な固定ができず、装置等の安定性を損なってしまう恐れがある。柔らかい床に対しては、突起を深く食い込ませて固定する方法が有効である。ところが、突起を食い込ませて固定する方法は、固い床には適さない。すなわち、床の上を突起が滑ってしまい、装置等の固定ができない。
【０００５】
本発明は上記課題に鑑みてなされたものであり、その目的は、装置等を設置する床が固い床又は柔らかい床の何れであっても、安定して装置等を設置することが可能な筐体支持装置を提供することにある。
【課題を解決するための手段】
【０００６】
本発明に係る画像形成装置は、装置筐体を支持する筐体支持装置であって、第１支持体と、第１支持体の周囲に設けられた第２支持体とを備える。前記第１支持体は、２支持体の底面から突出した第１状態の位置と、第２支持体の底面から突出していない第２状態の位置との間を移動する。前記第２支持体は、第１支持体の移動に連動して移動し、かつ、第１支持体の移動の距離より短い距離を移動する。
【発明の効果】
【０００７】
本発明に係る筐体支持装置によれば、装置等を設置する床が固い床又は柔らかい床の何れであっても、安定して装置等を設置することができる。
【図面の簡単な説明】
【０００８】
【図１】本発明に係る筐体支持装置を適用した画像形成装置の外観を示す斜視図である。
【図２】図２（ａ）は、筐体支持装置の外観を示す斜視図である。図２（ｂ）は、図２（ａ）に示す筐体支持装置の断面図である。
【図３】図３（ａ）は、第１実施形態に係る筐体支持装置の平面図の一例である。図３（ｂ）は、筐体支持装置の正面図の一例である。図３（ｃ）は、図３（ｂ）に示す筐体支持装置の断面図である。
【図４】図４（ａ）は、第１実施形態に係る第１支持体の一部が柔らかい床に食い込んでいる様子を示す図である。図４（ｂ）は、図４（ａ）に示す筐体支持装置の断面図である。
【図５】図５（ａ）は、第１実施形態に係る第１支持体が固い床の表面を滑っている様子を示す図である。図５（ｂ）は、図５（ａ）に示す筐体支持装置の断面図である。
【図６】図６（ａ）は、第１実施形態に係る第２支持体が固い床で固定さている様子を示す図である。図６（ｂ）は、図６（ａ）に示す筐体支持装置の断面図である。
【図７】図７（ａ）は、筐体支持装置を固い床から離間させた直後の様子を示す図である。図７（ｂ）は、図７（ａ）に示す筐体支持装置の断面図である。
【図８】図８（ａ）は、筐体支持装置が固い床から離間している様子を示す図である。図８（ｂ）は、図８（ａ）に示す筐体支持装置の断面図である。
【発明を実施するための形態】
【０００９】
以下、図面を参照して、本発明に係る筐体支持装置の実施形態について説明する。なお、図中、同一又は相当部分については同一の参照符号を付して説明を繰り返さない。
【００１０】
まず、図１を参照して、本発明に係る筐体支持装置の概要について説明する。図１は、本発明に係る筐体支持装置を適用した画像形成装置１の外観を示す斜視図である。本実施形態において、画像形成装置１は、例えば、複写機能、印刷機能及びファクシミリ機能などを備えるデジタル複合機である。さらに、画像形成装置１の重量は、約１００ｋｇである。
【００１１】
画像形成装置１は、装置本体２と、筐体支持装置１０ａ〜１０ｄとを備える。図１に示すように、筐体支持装置１０ａ〜１０ｄは、装置本体２の底部の４隅と床との間に配設される。筐体支持装置１０ａ〜１０ｄの各々は、床から画像形成装置１の底部までの高さを調整することによって、装置本体２の安定的な設置を支援する。なお、筐体支持装置１０は、筐体支持装置１０ａ〜１０ｄの総称である。
【００１２】
ここで、画像形成装置１を設置する床は、大別すると２種類ある。第１の床は、カーペット等の柔らかい床である。筐体支持装置１０が、床と接する部位に突起部材を有する場合は、この突起部材がカーペット等に食い込むため、画像形成装置１を固定することが可能となる。その一方、筐体支持装置１０の突起部材によってカーペット等が損傷を受けることは抑制する必要がある。
【００１３】
画像形成装置１を設置する第２の床は、コンクリート等の固い床である。固い床の場合は、筐体支持装置１０に突起部材を有していても、床の上を滑ってしまう。このため、筐体支持装置１０に突起部材を有するのみでは、画像形成装置１を固い床で固定することは困難である。
【００１４】
次に、図２を参照して、本発明に係る筐体支持装置１０の構成について説明する。図２（ａ）は、筐体支持装置１０の外観を示す斜視図である。図２（ｂ）は、図２（ａ）に示す筐体支持装置１０の断面図である。
【００１５】
筐体支持装置１０は、第１支持体１１と、第２支持体１２と、固定プレート１３と、アジャスタプレート１４とを備える。第１支持体１１は、軸ボルト１１１と、基底部材１１２と、突起部材１１３とを有する。
【００１６】
軸ボルト１１１は、円柱状のボルトであり、第１支持体１１の中心軸である。軸ボルト１１１の下位には、基底部材１１２が連結されている。軸ボルト１１１は、第２支持体１２の回動部材１２３の回動と連動して回転する。さらに、軸ボルト１１１は、外周面の一部に第１ピッチの第１雄ネジが刻設されており、固定プレート１３に刻設されている第１雌ネジと螺合する。したがって、ユーザーが第２支持体１２の回動部材１２３を右方向（すなわち、右ネジの方向）に回転すると、軸ボルト１１１も回動部材１２３と連動して右方向に回転する。軸ボルト１１１が右方向に回転すると、第１支持体１１は上方に移動する。逆に、ユーザーが第２支持体１２の回動部材１２３を左方向に回転すると、軸ボルト１１１は、回動部材１２３と連動して左方向に回転する。軸ボルト１１１が左方向に回転すると、第１支持体１１は下方に移動する。なお、軸ボルト１１１は、第１ボルトの一例である。
【００１７】
基底部材１１２は、軸ボルト１１１の下位に連結される部材である。基底部材１１２の下位には、複数の突起部材１１３が配設されている。
【００１８】
突起部材１１３は、カーペット等の柔らかい床を咬止可能な材質で構成された凸状の部材である。突起部材１１３は、基底部材１１２に複数配設されている。突起部材１１３は、例えば、材質が硬質プラスチック、形状が逆三角錐状の凸部材である。
【００１９】
第２支持体１２は、第１支持体１１の周囲に設けられる支持体であり、中空ボルト１２１と、トルクリミッタ１２２と、回動部材１２３とを備える。
【００２０】
中空ボルト１２１は、円筒状のボルトであり、第２支持体１２の中心部材である。中空ボルト１２１の上位には、トルクリミッタ１２２が連結されている。中空ボルト１２１は、回動部材１２３の回動と連動して回転する。さらに、中空ボルト１２１は、外周面の一部に第２ピッチの第２雄ネジが刻設されており、アジャスタプレート１４に刻設されている第２雌ネジと螺合する。したがって、ユーザーによって回動部材１２３が右方向（すなわち、右ネジの方向）に回転すると、中空ボルト１２１も回動部材１２３と連動して右方向に回転する。中空ボルト１２１が右方向に回転すると、第２支持体１２は上方に移動する。逆に、ユーザーが回動部材１２３を左方向に回転すると、中空ボルト１２１は、回動部材１２３と連動して左方向に回転する。中空ボルト１２１が左方向に回転すると、第２支持体１２は下方に移動する。
【００２１】
さらに、中空ボルト１２１の第２雄ネジの第２ピッチは、軸ボルト１１１の第１雄ネジの第１ピッチより小さい。例えば、中空ボルト１２１の第２雄ネジの第２ピッチは、軸ボルト１１１の第１ピッチの「１／３」である。したがって、回動部材１２３の回動によって軸ボルト１１１が３［ｃｍ］移動した場合、中空ボルト１２１は、１［ｃｍ］移動する。なお、中空ボルト１２１は、第２ボルトの一例である。
【００２２】
トルクリミッタ１２２は、回動部材１２３を介してユーザーの回動操作によって加えられたトルクが、予め規定されたトルクを超えた場合に、内側の部材である軸ボルト１１１との連結を解放する。このように、軸ボルト１１１との連結が解放された状態で回動部材１２３にトルクが加えられると、軸ボルト１１１の回転は停止し、中空ボルト１２１のみが回転する。
【００２３】
回動部材１２３は、肉厚で中空の円筒形状をしている部材である。回動部材１２３は、ユーザーによる回動操作に伴うトルクを第１支持体１１及び第２支持体１２に伝達する。なお、第２支持体１２において、トルクリミッタ１２２が作動した場合は、ユーザーによる回動操作に伴うトルクは第１支持体１１には伝達されず、第２支持体１２のみに伝達される。回動部材１２３は、摩擦係数の大きな材質で形成することができる。回動部材１２３の材質は、例えばゴムである。
【００２４】
固定プレート１３は、筐体支持装置１０を画像形成装置１に固定するための部材である。固定プレート１３には、第１雌ネジが刻設されており、軸ボルト１１１に刻設されている第１雄ネジと螺合する。固定プレート１３の材質は、例えば、ステンレス鋼である。なお、固定プレート１３は、第１固定部材の一例である。
【００２５】
アジャスタプレート１４は、第２支持体１２を固定プレート１３に固定する。固定プレート１３には、第２雌ネジが刻設されており、中空ボルト１２１に刻設されている第２雄ネジと螺合する。アジャスタプレート１４の材質は、例えば、ステンレス鋼である。なお、アジャスタプレート１４は、第２固定部材の一例である。
【００２６】
次に、図３から図８を参照して、本実施形態に係る筐体支持装置１０について、具体的に説明する。まず、図３及び図４を参照して、画像形成装置１を柔らかい床３ａに設置する場合の筐体支持装置１０の作用について説明する。
【００２７】
図３（ａ）は、筐体支持装置１０の平面図である。図３（ｂ）は、筐体支持装置１０の正面図である。図３（ｃ）は、筐体支持装置１０を図３（ａ）の切断線ＩＩＩＣ−ＩＩＩＣで切断した場合の断面図である。ここで、後述する図４から図８における各断面図は、図３（ａ）に示す切断線ＩＩＩＣ−ＩＩＩＣの位置で各々の筐体支持装置１０を切断した場合の断面図である。なお、図４から図８においては、平面図は省略する。
【００２８】
図３（ａ）に示すように、固定プレート１３は、矩形状のプレートであり、３個のボルト用の孔が配設されている。３個のボルト用の孔は、軸ボルト１１１用の孔１３ａ、並びに、画像形成装置１の底部と、固定プレート１３及びアジャスタプレート１４とを締結させるための２個の孔１３ｂ，孔１３ｃである。軸ボルト１１１用の孔１３ａには、第１ピッチの第１雌ネジが刻設されており、軸ボルト１１１に刻設されている第１雄ネジと螺合される。
【００２９】
図３（ｂ）は、床３ａから離れている筐体支持装置１０の様子を模式的に示した図である。図３（ｂ）の矢印が示すように、ユーザーが回動部材１２３を左方向に回すと、筐体支持装置１０の第１支持体１１と第２支持体１２が共に下方に移動する。その際、第１支持体１１は、第１ピッチと第２ピッチとの割合に応じて、第２支持体１２より大きく下方に移動する。図３（ｃ）は、第１支持体１１と第２支持体１２の下方への移動の様子を示している。図３（ｃ）には、中空ボルト１２１とトルクリミッタ１２２と回動部材１２３とを含む第２支持体１２の移動距離はほとんど「０」に等しい。一方、軸ボルト１１１と基底部材１１２と突起部材１１３とを含む第１支持体１１は、突起部材１１３の一部が回動部材１２３の底面より下位に出ているように、第２支持体１２より大きく下方に移動している。
【００３０】
図４（ａ）は、回動部材１２３をさらに左方向に回動することによって、筐体支持装置１０を柔らかい床３ａに接地させた様子を示す図である。図４（ｂ）は、図４（ａ）に対応する筐体支持装置１０の断面図である。
【００３１】
図４（ａ）に示すように、第１支持体１１の移動距離の「ｈ１」に対し、第２支持体１２の移動距離は「ｈ２」である。この移動距離ｈ１と移動距離ｈ２との比は、第１ピッチと第２ピッチとの比に等しい。図４（ｂ）に示すように、柔らかい床３ａに突起部材１１３の一部が食い込んでいる。
【００３２】
以上のように、筐体支持装置１０では、回動部材１２３の回動によって第１支持体１１を第２支持体１２より大きく移動させ、かつ、第１支持体１１の下部に複数の突起部材１１３を配設した。これにより、カーペット等の柔らかい床３ａであっても、筐体支持装置１０によって画像形成装置１を安定して咬止させることが可能となる。
【００３３】
次に、図５から図８を参照して、固い床３ｂに画像形成装置１を設置する場合の筐体支持装置１０の作用について説明する。図５（ａ）は、筐体支持装置１０の回動部材１２３を左方向に回動することによって、筐体支持装置１０を固い床３ｂに接地させた様子を示す図である。図５（ｂ）は、図５（ａ）に対応する筐体支持装置１０の断面図である。
【００３４】
図５（ａ）及び図５（ｂ）に示すように、画像形成装置１を設置する床が固い床３ｂの場合は、図４（ａ）等における柔らかい床３ａと異なり、第１支持体１１の突起部材１１３は、画像形成装置１を安定して咬止させることができない。すなわち、突起部材１１３が硬質プラスチック等の場合は、コンクリートの上を滑ってしまうからである。
【００３５】
図５（ａ）及び図５（ｂ）に示すように、第１支持体１１が固い床３ｂに接地すると、固い床３ｂに接地する前に比べて、回動部材１２３を回動させる際の回動負荷が大きくなる。そこで、固い床３ｂに第１支持体１１が接地後の回動負荷の増加分を検知するように、トルクリミッタ１２２のリミット値を予め設定しておく。このようにトルクリミッタ１２２のリミット値を設定した結果、固い床３ｂに第１支持体１１が接地した後、さらに回動部材１２３を左方向に回動した場合は、トルクリミッタ１２２が作動する。トルクリミッタ１２２の作動によって、回動部材１２３の回動に伴うトルクは、第１支持体１１に伝達されず、第２支持体１２のみが回転する。回動部材１２３を回動して第２支持体１２が回転すると、第２支持体１２のみが下方に移動する。
【００３６】
図６（ａ）及び図６（ｂ）は、固い床３ｂに第１支持体１１が接地した後に回動部材１２３を左方向に回動し続けた結果、第２支持体１２の回動部材１２３が固い床３ｂに接地した様子を示している。第２支持体１２の回動部材１２３が固い床３ｂに接地しているため、摩擦係数の大きな回動部材１２３によって画像形成装置１を安定して固定することが可能となる。
【００３７】
以上のように、回動部材１２３の回動によって第１支持体１１が先に固い床３ｂに接地した場合は、第１支持体１１の接地後の回動負荷の増加分を検知してトルクリミッタ１２２が作動する。さらに、トルクリミッタ１２２が作動することにより、第２支持体１２も固い床３ｂに接地するので、コンクリート等の固い床３ｂであっても、筐体支持装置１０によって画像形成装置１を安定して固定することが可能となる。
【００３８】
次に、図７（ａ）、図７（ｂ）と図８（ａ）、図８（ｂ）とを参照して、筐体支持装置１０による画像形成装置１の固定を解除する作用について説明する。図７（ａ）は、筐体支持装置１０を固い床３ｂから離間させた直後の様子を示す図である。図７（ｂ）は、図７（ａ）に示す筐体支持装置１０の断面図である。図７（ａ）に示すように、回動部材１２３を右方向に回すと、第１支持体１１及び第２支持体１２は共に上方に移動する。その際、第１支持体１１は、第１ピッチと第２ピッチとの比に基づいて、第２支持体１２より大きく上方に移動する。
【００３９】
図８（ａ）は、筐体支持装置が固い床３ｂから大きく離間している様子を示す図である。図８（ｂ）は、図８（ａ）に示す筐体支持装置１０の断面図である。図８（ａ）及び図８（ｂ）に示すように、第１支持体１１及び第２支持体１２は、回動部材１２３を右方向に回動することによって、連動して上方に移動をする。さらに、第１支持体１１及び第２支持体１２は、各々の初期設定位置まで移動すると停止する。
【００４０】
以上、図面（図１〜図８）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に−示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【産業上の利用可能性】
【００４１】
本発明は、装置又は家具の分野に利用可能である。
【符号の説明】
【００４２】
１        画像形成装置
２        装置本体
３ａ，３ｂ    床
１０，１０ａ，１０ｂ，１０ｃ，１０ｄ      筐体支持装置
１１      第１支持体
１１１    軸ボルト
１１２    基底部材
１１３    突起部材
１２      第２支持体
１２１    中空ボルト
１２２    トルクリミッタ
１２３    回動部材
１３      固定プレート
１４      アジャスタプレート
【図１】
2019195521.tif 000003
【図２】
2019195521.tif 000004
【図３】
2019195521.tif 000005
【図４】
2019195521.tif 000006
【図５】
2019195521.tif 000007
【図６】
2019195521.tif 000008
【図７】
2019195521.tif 000009
【図８】
2019195521.tif 000010